(57)【要約】【課題】作成者と利用者とで、画像データの連続表示を容易に共用する。【解決手段】通信システム１００では、送信装置１１０ａが、複数の画像データを記憶する記憶部と、記憶された画像データをユーザに選択させ、選択された画像データに、画像データの表示順を対応付ける画像データ選択部と、選択された画像データと、画像データに対応付けられた表示順とを含む表示情報を生成する表示情報生成部と、表示情報を送信する送信部と、を備え、受信装置１１０ｂが、送信装置から表示情報を受信する受信部と、表示情報に含まれる表示順に従って画像データを受信表示部に順次表示する表示制御部と、を備える。【選択図】図１
2016224745.tif 000002
【特許請求の範囲】
【請求項１】
送信装置と、該送信装置と通信可能な受信装置とを含む通信システムであって、
前記送信装置は、
複数の画像データを記憶する記憶部と、
記憶された前記画像データをユーザに選択させ、選択された該画像データに、該画像データの表示順を対応付ける画像データ選択部と、
選択された前記画像データと、該画像データに対応付けられた表示順とを含む表示情報を生成する表示情報生成部と、
前記表示情報を送信する送信部と、
を備え、
前記受信装置は、
前記送信装置から前記表示情報を受信する受信部と、
前記表示情報に含まれる表示順に従って前記画像データを受信表示部に順次表示する表示制御部と、
を備えることを特徴とする通信システム。
【請求項２】
複数の画像データを記憶する記憶部と、
記憶された前記画像データをユーザに選択させ、選択された該画像データに、該画像データの表示順を対応付ける画像データ選択部と、
選択された前記画像データと、該画像データに対応付けられた表示順とを含む表示情報を生成する表示情報生成部と、
前記表示情報を送信する送信部と、
を備えることを特徴とする送信装置。
【請求項３】
前記画像データ選択部は、前記記憶部に記憶された複数の前記画像データを、ユーザが一度に視認可能となるように送信表示部に表示し、ユーザが該画像データを選択した順を表示順とすることを特徴とする請求項２に記載の送信装置。
【請求項４】
前記表示情報には、前記画像データの表示間隔、リピート有無、前記画像データに対する加工内容、タイトルから選択される情報も含まれることを特徴とする請求項２または３に記載の送信装置。
【請求項５】
前記表示情報に基づいて前記画像データから動画データを生成する動画生成部をさらに備えることを特徴とする請求項２から４のいずれか１項に記載の送信装置。
【請求項６】
複数の画像データと、該画像データに対応付けられた表示順とを含む表示情報を受信する受信部と、
前記表示情報に含まれる表示順に従って前記画像データを受信表示部に順次表示する表示制御部と、
を備えることを特徴とする受信装置。
【請求項７】
前記表示情報に基づいて前記画像データから動画データを生成する動画生成部をさらに備えることを特徴とする請求項６に記載の受信装置。
【発明の詳細な説明】
【技術分野】
【０００１】
本発明は、送信装置側で選択した画像データを受信装置で閲覧することが可能な通信システム、送信装置、および、受信装置に関する。
【背景技術】
【０００２】
従来、電子機器の記憶領域に記憶されている全ての画像データを、撮影時刻が古い順に一定間隔で順次連続的に表示するスライドショーといった技術が存在している。また、１つのファイルに含まれる複数の画像データを一定間隔で連続的に表示可能なＧＩＦ（Graphics Interchange Format）アニメーションも存在する。かかるＧＩＦアニメーションは、高度な画像表示アプリケーションを用いなくとも、ブラウザや画像ビューアのみで容易に視認できる利点を有する。
【０００３】
また、このように複数の画像データを一定間隔で表示部に連続的に表示する際、輝度補正等によって表示態様が変化するのを防止する技術が知られている（例えば、特許文献１）。
【先行技術文献】
【特許文献】
【０００４】
【特許文献１】特開２０１０−２８８２０４号公報
【発明の概要】
【発明が解決しようとする課題】
【０００５】
上述したスライドショーは、あくまで、プライベートな画像データを自己完結的に表示するもので、その連続的な表示を他者と共用することができなかった。また、ＧＩＦアニメーションでは、その作成に専門的な知識と高度な専用ソフトが必要であり、利用者は、自身と無関係な作成者が作成した画像データを参照することしかできなかった。
【０００６】
近年では、スマートフォン等、様々な撮像装置が普及し、日常の生活風景を容易にデータ化して記憶することができるようになってきた。したがって、上述したような画像データの連続表示についても、容易に作成し、また、作成者と利用者とで容易に共用できる環境が希求されている。
【０００７】
本発明は、このような課題に鑑み、作成者と利用者とで、画像データの連続表示を容易に共用することが可能な通信システム、送信装置、および、受信装置を提供することを目的としている。
【課題を解決するための手段】
【０００８】
上記課題を解決するために、本発明の通信システムは、送信装置と、送信装置と通信可能な受信装置とを含む通信システムであって、送信装置は、複数の画像データを記憶する記憶部と、記憶された画像データをユーザに選択させ、選択された画像データに、画像データの表示順を対応付ける画像データ選択部と、選択された画像データと、画像データに対応付けられた表示順とを含む表示情報を生成する表示情報生成部と、表示情報を送信する送信部と、を備え、受信装置は、送信装置から表示情報を受信する受信部と、表示情報に含まれる表示順に従って画像データを受信表示部に順次表示する表示制御部と、を備えることを特徴とする。
【０００９】
上記課題を解決するために、本発明の送信装置は、複数の画像データを記憶する記憶部と、記憶された画像データをユーザに選択させ、選択された画像データに、画像データの表示順を対応付ける画像データ選択部と、選択された画像データと、画像データに対応付けられた表示順とを含む表示情報を生成する表示情報生成部と、表示情報を送信する送信部と、を備えることを特徴とする。
【００１０】
画像データ選択部は、記憶部に記憶された複数の画像データを、ユーザが一度に視認可能となるように送信表示部に表示し、ユーザが画像データを選択した順を表示順としてもよい。
【００１１】
表示情報には、画像データの表示間隔、リピート有無、画像データに対する加工内容、タイトルから選択される情報も含まれてもよい。
【００１２】
表示情報に基づいて画像データから動画データを生成する動画生成部をさらに備えてもよい。
【００１３】
上記課題を解決するために、本発明の受信装置は、複数の画像データと、画像データに対応付けられた表示順とを含む表示情報を受信する受信部と、表示情報に含まれる表示順に従って画像データを受信表示部に順次表示する表示制御部と、を備えることを特徴とする。
【００１４】
表示情報に基づいて画像データから動画データを生成する動画生成部をさらに備えてもよい。
【発明の効果】
【００１５】
本発明によれば、作成者と利用者とで、画像データの連続表示を容易に共用することが可能となる。
【図面の簡単な説明】
【００１６】
【図１】通信システムの概略的な構成を示した説明図である。
【図２】通信機器の概略的な構成を示した説明図である。
【図３】通信機器を送信装置として機能させた場合の機能ブロック図である。
【図４】表示情報を説明するための説明図である。
【図５】画像データ選択部および表示情報生成部の動作を説明するための説明図である。
【図６】画像データ選択部および表示情報生成部の動作を説明するための説明図である。
【図７】画像データ選択部および表示情報生成部の動作を説明するための説明図である。
【図８】送信先選択部の動作を説明するための説明図である。
【図９】送信先選択部の動作を説明するための説明図である。
【図１０】通信機器を受信装置として機能させた場合の機能ブロック図である。
【図１１】表示情報選択部の動作を説明するための説明図である。
【図１２】表示情報選択部の動作を説明するための説明図である。
【発明を実施するための形態】
【００１７】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１８】
（通信システム１００）
図１は、通信システム１００の概略的な構成を示した説明図である。図１に示すように、通信システム１００は、複数の通信機器１１０と、各通信機器１１０間を携帯電話回線やＷｉＦｉ（Wireless Fidelity）等によって通信接続する通信網１２０とを含んで構成される。ここで、通信機器１１０としては、スマートフォン、携帯電話、ＰＨＳ（Personal Handy-phone System）、パーソナルコンピュータ、ＰＤＡ（Personal Digital Assistant）、音楽プレイヤー、テレビジョン等通信可能な様々な電子機器を用いることができる。
【００１９】
また、本実施形態では、通信機器１１０のうちデータ送信機能を利用したものを送信装置１１０ａとし、通信機器１１０のうちデータ受信機能を利用したものを受信装置１１０ｂとして説明する。したがって、送信装置１１０ａおよび受信装置１１０ｂは通信機器１１０に等しく、送信装置１１０ａは受信装置１１０ｂとしても機能し得、受信装置１１０ｂは送信装置１１０ａとしても機能し得ることとなる。
【００２０】
図２は、通信機器１１０の概略的な構成を示した説明図であり、図２（ａ）は機能ブロック図を、図２（ｂ）は外観図を示す。図２（ａ）および図２（ｂ）に示すように、通信機器１１０（送信装置１１０ａまたは受信装置１１０ｂ）は、表示部１５０と、操作部１５２と、撮像部１５４と、通信部１５６と、記憶部１５８と、制御部１６０とを含んで構成される。
【００２１】
表示部１５０は、液晶ディスプレイ、ＥＬ(Electro Luminescence)、ＰＤＰ(Plasma Display Panel)等で構成され、ＷｅｂブラウザやアプリケーションのＧＵＩ（Graphical User Interface）を表示することができる。かかる表示部１５０は、送信装置１１０ａにおいて少なくとも画像データを含む表示情報を表示する送信表示部として機能し、受信装置１１０ｂにおいて少なくとも表示情報を表示する受信表示部として機能する。
【００２２】
操作部１５２は、例えば、表示部１５０の表面に設けられたタッチパネルで構成され、表示部１５０に表示されたソフトキーボード、ソフト十字キーに対応する位置へのユーザの操作を受け付ける。また、操作部１５２は、ハードウェアとして独立したキーボード、十字キー、ジョイスティック等で構成されることもある。撮像部１５４は、ＣＣＤ（Charge-Coupled Device）やＣＭＯＳ（Complementary Metal-Oxide Semiconductor）等の撮像素子を含んで構成され、カラー画像もしくはモノクロ画像を生成する。
【００２３】
通信部１５６は、携帯電話網における基地局やＷｉＦｉ等に対し無線通信を確立して通信を実行する。かかる通信部１５６は、送信装置１１０ａにおいて画像データを含む表示情報を送信する送信部として機能し、受信装置１１０ｂにおいて表示情報を受信する受信部として機能する。記憶部１５８は、ＲＯＭ、ＲＡＭ、フラッシュメモリ、ＨＤＤ（Hard Disk Drive）等の記憶素子で構成され、制御部１６０で処理されるプログラムや画像データを含む表示情報等を記憶する。制御部１６０は、中央処理装置（ＣＰＵ）を含む半導体集積回路により、それぞれの装置（送信装置１１０ａ、受信装置１１０ｂ）全体を管理および制御する。
【００２４】
（送信装置１１０ａ）
図３は、通信機器１１０を送信装置１１０ａとして機能させた場合の機能ブロック図である。ここで、送信装置１１０ａの制御部１６０は、記憶部１５８に記憶された任意のアプリケーションを動作させることで、撮像制御部２１０、画像データ選択部２１２、表示情報生成部２１４、送信先選択部２１６として機能する。送信装置１１０ａでは、このような機能部を用いて、例えば、画像データ生成処理、表示情報生成処理、送信先選択処理が実行される。以下、かかる処理をその順に説明する。
【００２５】
（画像データ生成処理）
撮像制御部２１０は、撮像部１５４を通じて撮像されている画像（映像）を表示部１５０に表示する。ユーザが、かかる表示部１５０に表示された画像を視認し、操作部１５２を操作すると、撮像制御部２１０は、操作時の画像を画像データとして記憶部１５８に記憶する。
【００２６】
ここで、画像データは、ＪＰＥＧ、ＲＡＷ、ＧＩＦ、ＰＮＧ等の様々なファイルフォーマットで形成することができ、圧縮を施すこともできる。本実施形態における画像データは、個々の画像データが他の画像データの情報を必要とせず（差分で形成されず）、単独で１の画像を表すことができる。
【００２７】
こうして、ユーザは、周囲の状況を画像データとして取得し、再度視認できる形で記憶することが可能となる。また、このように撮像した画像データや、他の画像データにより表示情報を生成することができる。
【００２８】
（表示情報生成処理）
図４は、表示情報を説明するための説明図である。表示情報は、画像データ、画像データの表示順、画像データの表示間隔、リピート有無、画像データに対する加工内容、タイトルを含んで構成される。例えば、表示情報に複数（ここでは５つ）の画像データが含まれる場合、図４（ａ）に示すように、それぞれの画像データに対して表示順が対応付けられている。例えば、画像データ２５０ａには表示順「１」が、画像データ２５０ｂには表示順「２」が、画像データ２５０ｃには表示順「３」が、画像データ２５０ｄには表示順「４」が、画像データ２５０ｅには表示順「５」が対応付けられている。
【００２９】
また、表示情報に複数の画像データが含まれる場合、その複数の画像データを順次連続的に表示するため、表示情報には表示間隔が設定されている。例えば、表示間隔として０．５秒が設定されている場合、図４（ｂ）に示すように、複数の画像データそれぞれに対応付けられた表示順に従って、恰もパラパラ漫画のように、０．５秒毎に画像データが切り替わる。かかる連続的な表示は、表示情報にリピート無しが設定されている場合、表示順が一巡したところで表示が停止し、最後の表示順（ここでは表示順「５」）の画像データの表示が維持されるが、表示情報にリピート有りが設定されている場合、表示順が一巡した後、さらに、表示順の「１」から表示する動作を繰り返すことになる。
【００３０】
このような表示情報に含まれる各画像データには、加工内容が設定されている。例えば、加工内容として、画像の拡大、縮小、サイズ変更等、画像の解像度に関わるものや、フィルタ、エフェクト、変色、図形や文字入れ、モザイク、ぼかし等、画像の質に関わるものもある。これらは、画像データそれぞれに対応付けて設定してもよいし、表示情報に含まれる複数の画像データ全てに共通して、または、選択された１または複数の画像データに共通して設定されていてもよい。また、表示情報に含まれる画像データそれぞれ、または、表示情報自体にタイトルを付すこともできる。
【００３１】
本実施形態の送信装置１１０ａでは、画像データ選択部２１２が、記憶部１５８に記憶された画像データから複数の画像データをユーザに選択させ、選択された画像データに、その画像データの表示順を対応付け、表示情報生成部２１４は、このような画像データに基づいて表示情報を生成する。
【００３２】
図５〜図７は、画像データ選択部２１２および表示情報生成部２１４の動作を説明するための説明図である。まず、画像データ選択部２１２は、記憶部１５８に記憶された複数の画像データ（正確には圧縮したサムネイル等）を、図５のように、ユーザが一度に視認可能となるように表示部１５０に表示する。ここでは、記憶部１５８に記憶された画像データのうち、１５枚の画像データを水平方向に３列、垂直方向に５行となるように表示部１５０に並置して表示している。なお、画像データの数が１５枚以上ある場合、画面を上下または左右にスライドすることによって、他の画像データを表示することが可能となる。
【００３３】
ここで、画像データ選択部２１２は、ユーザの操作入力を待つ。ユーザが、表示部１５０に表示された画像データのうち、任意の画像データに対応する位置に触れると、操作部１５２がその操作を受け付け、その画像データが選択されたことになる。このとき、他の画像データがまだ選択されていなければ、すなわち、当該画像データが最初に選択された画像データであれば、画像データ選択部２１２は、その画像データに表示順「１」を対応付けるとともに、図６（ａ）のように、その画像データの一部（ここでは、右上の領域）に表示順「１」を示す指標を表示する。
【００３４】
また、他の画像データが既に選択されていれば、画像データ選択部２１２は、既に選択されている画像データに対応付けられた表示順のうち、最大値となる表示順に１インクリメントした表示順を、新たに選択された画像データに対応付けるとともに、その画像データの一部（ここでは、右上の領域）にその表示順を示す指標を表示する。したがって、表示された画像データから６枚の画像データを選択した場合、図６（ｂ）のように、その接触した順（選択した順）に表示順が対応付けられ、それぞれの画像データには、表示順を示す指標が表示される。こうして、画像データに容易に表示順を対応付けることが可能となる。
【００３５】
また、図６（ｃ）のように、一度選択した画像データを再度選択した場合、その画像データの選択がキャンセル扱いとなり、画像データに対応付けられた表示順が解除されるとともに、その画像データ上に表示された指標も削除される。そして、そのキャンセル扱いになった画像データより表示順が大きい画像データの表示順がそれぞれ１ずつ減算され、それに伴って、指標も変更される。
【００３６】
ここでは、表示情報として、画像データの生成時間、生成場所、生成条件の異なる複数の画像データを無作為に選択することが可能である。したがって、表示順も、生成順である必要がなく、意図的に、生成順と表示順を異ならせて逆再生しているような表示情報を生成することもできる。
【００３７】
このようにしてユーザが、画像データを選択し終え、表示情報を確認する旨の操作（確認ボタンへのタッチ）を行うと、表示情報生成部２１４は、その選択された複数（ここでは５枚）の画像データに基づいて表示情報を生成する。このとき、画像データと表示順以外の表示情報は初期状態に設定される。すなわち、表示情報中の画像データの表示間隔は、初期値（例えば、０．５秒）に設定され、リピートは無し、画像データに対する加工内容は無し、タイトルは無しとなる。かかる表示情報（画像データ、画像データの表示順、画像データの表示間隔、リピート有無、画像データに対する加工内容、タイトル）は、図示しない編集画面によって編集することが可能である。例えば、バー形式でスライドすることで表示間隔を再設定したり、１の画像データに対し予め設定された複数の色フィルタをかけて加工内容をユーザに選択させることで編集できる。
【００３８】
このような表示情報は画像データとは別に記憶部１５８に記憶される。したがって、記憶部１５８には、複数の画像データと独立して複数の表示情報が存在することとなる。
【００３９】
表示情報生成部２１４は、表示情報を生成した後、表示部１５０に表示情報を表示し、表示情報の完成状態をユーザに報知する。すなわち、図７に示すように、選択された複数の画像データを、その表示順に、表示間隔を開けて連続的に表示し、加工内容やタイトルが設定されていれば、画像データと共に表示し、リピートが有れば、一連の連続的な表示を繰り返す。
【００４０】
（送信先選択処理）
図８、図９は、送信先選択部２１６の動作を説明するための説明図である。送信先選択部２１６は、図８のように、記憶部１５８に記憶された複数の表示情報（正確には表示順として「１」が対応付けられた画像データを圧縮したサムネイル等）を、ユーザが一度に視認可能となるように表示部１５０に表示する。例えば、記憶部１５８に記憶された表示情報のうち、１５個の表示情報を水平方向に３列、垂直方向に５行となるように表示部１５０に並置して表示している。ただし、ここでは３個の表示情報のみが表示されている。なお、表示情報の数が１５個以上ある場合、画面をスライドすることによって、他の表示情報を表示することが可能となる。
【００４１】
ここで、送信先選択部２１６は、ユーザの操作入力を待つ。ユーザが、表示部１５０に表示された表示情報のうち、任意の表示情報に対応する位置に触れると、操作部１５２がその操作を受け付け、その表示情報が送信対象として選択されたことになる。
【００４２】
このようにして、ユーザが表示状態を選択し終え、送信先を選択する旨の操作（送信先選択ボタンへのタッチ）を行うと、送信先選択部２１６は、図９のように、送信先リストに登録されている複数の送信先情報（正確には送信先を特定可能な画像データやテキスト等）を、ユーザが一度に視認可能となるように表示部１５０に表示する。ここでは、複数の送信先情報のうち、５個の送信先情報を垂直方向に５行となるように表示部１５０に並置して表示している。なお、送信先情報の数が５個以上ある場合、画面をスライドすることによって、他の送信先情報を表示することが可能となる。
【００４３】
ここで、送信先選択部２１６は、ユーザの操作入力を待つ。ユーザが、表示部１５０に表示された送信先情報のうち、任意の送信先情報に対応する位置に触れると、操作部１５２がその操作を受け付け、その送信先情報が送信先として選択されたことになる。
【００４４】
このように、送信対象としての表示情報と、送信先としての送信先情報が選択され、ユーザが、送信する旨の操作（送信ボタンへのタッチ）を行うと、通信部１５６は、その選択された送信先情報が示す受信装置１１０ｂに、選択された表示情報を復元可能なデータフォーマットで送信する。このとき、通信部１５６は、表示情報をそのままのデータ形式で送信してもよいが、ＺＩＰ等の圧縮ツールを用い、パッケージング化して送信してもよい。
【００４５】
（受信装置１１０ｂ）
図１０は、通信機器１１０を受信装置１１０ｂとして機能させた場合の機能ブロック図である。ここで、受信装置１１０ｂの制御部１６０は、記憶部１５８に記憶された、送信装置１１０ａと共通のアプリケーションを動作させることで、表示情報選択部２３０、表示制御部２３２、動画生成部２３４として機能する。受信装置１１０ｂでは、このような機能部を用いて、例えば、表示情報表示処理が実行される。以下、かかる処理を説明する。
【００４６】
（表示情報表示処理）
通信部１５６は、送信装置１１０ａから送信された表示情報を受信し、記憶部１５８に記憶する。
【００４７】
図１１、図１２は、表示情報選択部２３０の動作を説明するための説明図である。表示情報選択部２３０は、図１１のように、記憶部１５８に記憶された複数の表示情報（正確には表示順として「１」が対応付けられた画像データを圧縮したサムネイル等）を、ユーザが一度に視認可能となるように表示部１５０に表示する。例えば、記憶部１５８に記憶された表示情報のうち、１５個の表示情報を水平方向に３列、垂直方向に５行となるように表示部１５０に並置して表示している。ただし、ここでは１個の表示情報のみが表示されている。なお、表示情報の数が１５個以上ある場合、画面をスライドすることによって、他の表示情報を表示することが可能となる。
【００４８】
ここで、表示情報選択部２３０は、ユーザの操作入力を待つ。ユーザが、表示部１５０に表示された表示情報のうち、任意の表示情報に対応する位置に触れると、操作部１５２がその操作を受け付け、その表示情報が表示対象として選択されたことになる。
【００４９】
表示制御部２３２は、選択された表示情報に基づいて、表示部１５０に表示情報を表示する。すなわち、図１２に示すように、選択された表示情報中の複数の画像データを、その表示順に、表示間隔を開けて連続的に表示し、加工内容やタイトルが設定されていれば、画像データと共に表示し、リピートが有れば、一連の連続的な表示を繰り返す。こうして、受信装置１１０ｂにおいて、送信装置１１０ａで生成された表示情報を視認することができる。
【００５０】
動画生成部２３４は、選択された表示情報に基づいて、例えば、ＪＰＥＧ、ＲＡＷ、ＧＩＦ、ＰＮＧ等の形式で形成された静止画に相当する画像データを、ＭＰ４、ＭＰＥＧ、ＡＶＩ、ＭＯＶ、ＷＭＶ等の形式に変換して動画データを生成する。例えば、動画生成部２３４は、選択された表示情報中の複数の画像データそれぞれに対し、表示間隔に相当する時間だけ連続的に表示できるようにフレーム群を生成し、生成した複数のフレーム群を表示順に接続する。また、加工内容やタイトルが設定されていれば、それを動画データに重畳し、リピートが有れば、一連の動画データを所定数複製してそれぞれを連続的に接続する。こうして、ユーザは、動画データをそのまま表示できる既存のアプリケーションを用いて、表示制御部２３２が表示する内容と同じ内容を視認することができる。
【００５１】
また、通信部１５６は、このように動画生成部２３４が生成した動画データを外部のサーバ等、他の装置に送信（アップロード）することができる。こうして、ユーザは、他の装置の既存のアプリケーションを用いて、表示制御部２３２が表示する内容と同じ内容を視認することが可能となる。
【００５２】
以上、説明したように、作成者と利用者とで、表示情報（画像データの連続表示）を容易に共用することが可能となる。すなわち、作成者が、利用者が利用することを考慮しながら、専門的な知識や高度な専用ソフトを要することなく、所望する画像データを所望する表示順で選択することができ、それを表示情報として容易に生成することができる。また、利用者も、専門的な知識や高度な専用ソフトを要することなく、表示情報を容易に表示することが可能となる。
【００５３】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５４】
例えば、上述した実施形態では、送信装置１１０ａと受信装置１１０ｂとの間には通信網１２０が存在し、送信装置１１０ａから送信された表示情報が通信網１２０を介して受信装置１１０ｂに伝達される例を挙げて説明したが、かかる場合に限らず、送信装置１１０ａから受信装置１１０ｂに、無線または有線で直接、表示情報を送信してもよい。また、送信装置１１０ａから送信された表示情報が一時的に任意のサーバに蓄積され、その表示情報が、他のタイミングに受信装置１１０ｂに伝達されるとしてもよい。
【００５５】
また、上述した実施形態においては、１の送信装置１１０ａから１の受信装置１１０ｂに表示情報を送信する例を挙げて説明したが、かかる場合に限らず、１回の送信処理で、１の送信装置１１０ａから複数の受信装置１１０ｂに一度に表示情報を送信することもできる。かかる処理は、複数の受信装置１１０ｂをグループとして登録し、送信先としてそのグループを選択することで実現する。こうして、送信装置１１０ａの処理負荷の増大を招くことなく、複数の受信装置１１０ｂと表示情報を共用することが可能となる。
【００５６】
また、上述した実施形態においては、受信装置１１０ｂの動画生成部２３４が、選択された表示情報に基づいて動画データを生成し、それを、通信部１５６を通じて外部に送信する例を挙げて説明したが、かかる場合に限らず、送信装置１１０ａに動画生成部２３４を設けて、送信装置１１０ａにおいて動画データを生成し、それを、外部に送信することもできる。
【００５７】
また、上述した実施形態においては、撮像制御部２１０が、撮像部１５４を通じて撮像されている画像を画像データとして記憶部１５８に記憶する例を挙げて説明したが、画像データの生成態様はかかる場合に限らず、外部のサーバ等、他の装置から受信（ダウンロード）してもよいし、グラフィックアプリケーションを用いて制作してもよい。
【００５８】
また、コンピュータを上記送信装置１１０ａや受信装置１１０ｂとして機能させるプログラムや、当該プログラムを記録したコンピュータで読み取り可能なフレキシブルディスク、光磁気ディスク、ＲＯＭ、ＣＤ、ＤＶＤ、ＢＤ等の記憶媒体も提供される。ここで、プログラムは、任意の言語や記述方法にて記述されたデータ処理手段をいう。
【産業上の利用可能性】
【００５９】
本発明は、送信装置側で選択した画像データを受信装置で閲覧することが可能な通信システム、送信装置、および、受信装置に利用することができる。
【符号の説明】
【００６０】
１００  通信システム
１１０ａ  送信装置
１１０ｂ  受信装置
１５０  表示部（送信表示部、受信表示部）
１５６  通信部（送信部、受信部）
１５８  記憶部
２１２  画像データ選択部
２１４  表示情報生成部
２１６  送信先選択部
２３２  表示制御部
【図１】
2016224745.tif 000003
【図２】
2016224745.tif 000004
【図３】
2016224745.tif 000005
【図４】
2016224745.tif 000006
【図５】
2016224745.tif 000007
【図６】
2016224745.tif 000008
【図７】
2016224745.tif 000009
【図８】
2016224745.tif 000010
【図９】
2016224745.tif 000011
【図１０】
2016224745.tif 000012
【図１１】
2016224745.tif 000013
【図１２】
2016224745.tif 000014